(57)【要約】【課題】  走行風による風切音の発生を効果的に低減するサイドバイザーを提供する。【解決手段】  サイドバイザー５は、少なくとも傾斜バイザー部６における庇体８の内面に、庇体８内面と窓枠２内の窓ガラス３外面との間に形成される空間を仕切る仕切手段が備えられているため、庇体８内面と窓ガラス３との隙間空間４が仕切られ、この隙間空間４内に流入した走行風１８の流れを規制することができる。流れが規制されることによって、この空間内の流れは乱れにくくなり、対向流１９の発生を低減することができる。対向流１９が低減されることで、この隙間空間４内での流れの衝突は低減され、外側に流出される流れが小さくなる。外側へ流出される流れが小さくなることで、乱流２０の発生を小さくすることが可能となり、結果、リブをサイドバイザー５の下端縁に設ける場合に比べ、風切音を低減することが可能となる。【選択図】図１
2020079090.tif 000002
【特許請求の範囲】
【請求項１】
自動車のフロントドア窓枠の後側の水平部分に沿って取り付けられる水平バイザー部と、前記窓枠の前側の傾斜部分に沿って取り付けられる傾斜バイザー部とを備え、前記水平バイザー部及び前記傾斜バイザー部には、前記窓枠に沿って固定される鍔体と、前記鍔体に沿って形成されて下方へ延びる帯状の庇体とがそれぞれ連続状に設けられるサイドバイザーであって、
少なくとも前記傾斜バイザー部における前記庇体の内面に、前記庇体内面と前記窓枠内のガラス外面との間に形成される空間を仕切る仕切手段が備えられていることを特徴とするサイドバイザー。
【請求項２】
前記仕切手段は、前記庇体の内面から一体又は別体で突出する１又は複数の仕切部材であることを特徴とする請求項１に記載のサイドバイザー。
【請求項３】
前記仕切部材は、前記庇体の長手方向に離れて複数配置されていることを特徴とする請求項２に記載のサイドバイザー。
【請求項４】
前記仕切部材は、前記庇体の幅方向に離れて複数配置されていることを特徴とする請求項２に記載のサイドバイザー。
【発明の詳細な説明】
【技術分野】
【０００１】
本発明は、車両走行時にサイドバイザーと窓ガラスとの間の隙間空間に流入する流れ又は隙間空間から流出する流れに起因して生じる風切音を低減する機能を有するサイドバイザーに関するものである。
【背景技術】
【０００２】
従来より、車両走行時にサイドバイザーと窓ガラスとの間の隙間に走行風が流入し、この流入した走行風が外側へ流出することによって、サイドバイザー近傍で乱流が発生し、この乱流によって風切音が発生することが知られている。この外側へ流出する流れは、前記隙間空間内に流入した走行風と、前記隙間空間内の流れが乱れることにより発生する対向流（後方側から前方側へ向かって流れる流れ）が衝突することが主な原因と考えられている。特に前下がりに傾斜したバイザー傾斜部においては、流入する走行風の流量が多いことから、流出する流量及びそれに伴い発生する乱流も大きくなり乱流に起因する風切音の発生が顕著となる。
このようにして発生する乱流に対し、バイザーの下端縁に設けられた窓枠側へ突出するリブを延設し、リブの先端と窓ガラスとの隙間を狭くし、前記隙間空間に流入する走行風を減少させることで風切音の発生を低減する構造が知られている（特許文献１）。
【先行技術文献】
【特許文献】
【０００３】
【特許文献１】特開２００２−０８７０５７号公報
【発明の概要】
【発明が解決しようとする課題】
【０００４】
しかしながら、このような風切音の発生を低減する構造では、サイドバイザーの下端縁に設けられた窓枠側に突出するリブを延設して、リブの先端と窓ガラスとの隙間を狭くしても、サイドバイザーと窓ガラスとの間の隙間空間に流入する走行風の流れを抑制するには限度があることから、風切音の低減についても限度があった。
【０００５】
そこで、本発明の目的は、上記従来の風切音の発生を低減する構造の問題を解消し、走行風による風切音の発生を効果的に低減するサイドバイザーを提供することにある。
【課題を解決するための手段】
【０００６】
本発明のうち、請求項１に記載された発明は、自動車のフロントドア窓枠の後側の水平部分に沿って取り付けられる水平バイザー部と、前記窓枠の前側の傾斜部分に沿って取り付けられる傾斜バイザー部とを備え、前記水平バイザー部及び前記傾斜バイザー部には、前記窓枠に沿って固定される鍔体と、前記鍔体に沿って形成されて下方へ延びる帯状の庇体とがそれぞれ連続状に設けられるサイドバイザーであって、
少なくとも前記傾斜バイザー部における前記庇体の内面に、前記庇体内面と前記窓枠内のガラス外面との間に形成される空間を仕切る仕切手段が備えられていることを特徴とするものである。
本発明のうち、請求項２に記載の発明は、請求項１に記載の発明に加え、前記仕切手段は、前記庇体の内面から一体又は別体で突出する１又は複数の仕切部材であることを特徴とするものである。
本発明のうち、請求項３に記載の発明は、請求項２に記載の発明に加え、前記仕切部材は、前記庇体の長手方向に離れて複数配置されていることを特徴とするものである。
本発明のうち、請求項４に記載の発明は、請求項２に記載の発明に加え、前記仕切部材は、前記庇体の幅方向に離れて複数配置されていることを特徴とするものである。
【発明の効果】
【０００７】
請求項１に記載された発明は、仕切手段によって庇体内面と窓ガラスとの隙間空間が仕切られ、この隙間空間内に流入した走行風の流れを規制することができる。流れが規制されることによって、当該空間内の流れは乱れにくくなり、対向流の発生を低減することができる。対向流が低減されることで、当該隙間空間内での流れの衝突は低減され、外側に流出される流れが小さくなる。外側へ流出される流れが小さくなることで、乱流の発生を小さくすることが可能となり、結果、リブをサイドバイザーの下端縁に設ける場合に比べ、風切音を低減することが可能となる。本効果は、風切音の原因となる走行風の流量が特に多くなる傾斜バイザー部に仕切手段を形成することで、より効果的に現れる。
請求項２に記載された発明は、隙間空間内をより効果的に仕切ることが可能となるため、風切音の低減をより一層効果的に行うことが可能である。
請求項３に記載された発明は、隙間空間が長手方向に仕切られるので、流入した走行風が大きな塊となることが抑制される。又、対向流が発生した場合であっても、仕切部材により流れが仕切られるので、空間内での衝突を抑制又は低減することが可能となる。結果、流出する流れも小さくなり、乱流及び乱流に起因する風切音も低減することが可能となる。
請求項４に記載された発明は、隙間空間が幅の狭い複数の流路に区画され、流入した流れは、前記流路を流れるので乱れにくくなり、対向流が発生しにくくなる。結果、流出する流れが抑制され、風切音の発生を低減することが可能となる。
【図面の簡単な説明】
【０００８】
【図１】（ａ）は車両の窓枠にサイドバイザーが取り付けられた状態を示し、（ｂ）は（ａ）のＡ−Ａ線断面を示す説明図である。
【図２】（ａ）はサイドバイザーの内側を示し、（ｂ）は（ａ）のＢ−Ｂ線断面を示す説明図である。
【図３】（ａ）は仕切部材が未設置状態のサイドバイザーの内側における風の流れを示し、（ｂ）は仕切部材を設置後の場合の風の流れを示す説明図である。
【図４】（ａ）は仕切部材の変更例を示し、（ｂ）は（ａ）のＣ−Ｃ線断面を示す説明図である。
【図５】（ａ）は仕切部材の変更例を示し、（ｂ）は（ａ）のＤ−Ｄ線断面を、（ｃ）はＥ−Ｅ線断面を示す説明図である。
【図６】図５の場合の風の流れを示す説明図である。
【図７】仕切部材の変更例を示す説明図である。
【図８】（ａ）〜（ｅ）は図７の各位置の断面を示す説明図である。
【図９】図８（ｅ）における変更例を示す説明図である。
【図１０】（ａ）（ｂ）は仕切部材の変更例を示す説明図である。
【発明を実施するための形態】
【０００９】
以下、本発明のサイドバイザーの一実施形態について、図面に基づいて詳細に説明する。
【００１０】
図１は、車両の窓枠にサイドバイザーが取り付けられた状態を示す説明図である。図２は、サイドバイザーの内側を示す説明図である。図３は、サイドバイザーの内側における風の流れを示す説明図である。
【００１１】
図１（ａ）に示すように、サイドバイザー５は、傾斜バイザー部６と水平バイザー部１５とからなり、自動車１の窓枠２に沿わせながら取り付け可能とするものである。
このうち、傾斜バイザー部６は、長尺な帯状部材の鍔体７と、この鍔体７に沿って長尺に形成された庇体８とで少なくとも構成され、窓枠２に取り付けた後は日除けや雨除けとして機能するものである。水平バイザー部１５についても同様の構成で、鍔体７と連続する長尺な帯状部材の鍔体１６と、この鍔体１６に沿って長尺に形成され、庇体８と連続する庇体１７とで少なくとも構成される。
【００１２】
次に、図２（ａ）（ｂ）に示すように、傾斜バイザー部６の庇体８の内面には、傾斜方向に延びる突条に形成された仕切部材１０が一体に形成されている。この仕切部材１０の幅Ｗ１は、庇体８の板厚ｔに対し、ｔ≦Ｗ１≦３ｔとなっており、仕切部材１０の全長Ｌ１は、庇体８の幅寸法Ｗ≦Ｌ１≦バイザー傾斜部６の長手方向の寸法Ｌとなっている。仕切部材１０の高さＨ１は、サイドバイザー５を窓枠２に取り付けた時に窓ガラス３と庇体８との間に形成される隙間空間４の高さＨに対し、Ｈ／３≦Ｈ１≦Ｈとなっている。この仕切部材１０が、本発明の仕切手段である。
【００１３】
このようにして構成される仕切手段により風切音の低減は、以下のようにして行われる。
先ず始めに、図１（ａ）に示すように、窓枠２にサイドバイザー５を取り付けた状態で自動車１が走行すると、サイドバイザー５の外側に沿って走行風１８が流れる。そして、図１（ｂ），図３（ａ）に示すように、この傾斜バイザー部６の内面側の隙間空間４内に流入した走行風１８は、隙間空間内の流れが乱れることにより発生する対向流１９（後方側から前方側へ流れる流れ）と衝突し、サイドバイザー５の外側に排出され、乱流２０が発生する。この乱流２０に起因して、風切音が生じることとなる。
【００１４】
この時、図２（ａ）（ｂ）に示すように、傾斜バイザー部６の庇体８の内面には、傾斜方向に延びる突条に形成された仕切部材１０が設けられていることから、図３（ｂ）に示すように、走行風１８が隙間空間４内に流入すると、仕切部材１０の先端部に接触して仕切部材１０を境にして上段側の走行風１８ａと下段側の走行風１８ｂに分流される。そして、走行風１８ａは、上段側の隙間空間１１内を流れ、走行風１８ｂは、下段側の隙間空間１２内を流れることとなる。
この時、隙間空間１１，１２は、隙間空間４に比べて隙間が狭く、各走行風１８ａ，１８ｂはその隙間空間１１，１２内を流れるため、乱れにくくなる。各走行風１８ａ，１８ｂが乱れにくくなることで、対向流１９の発生は低減され、空間内での衝突が低減される。その結果、外側へ排出される流れ、及び乱流も小さくなり、乱流２０が原因で発生する風切音の低減が可能となる。
【００１５】
上記の如く構成されるサイドバイザー５は、少なくとも傾斜バイザー部６における庇体８の内面に、庇体８内面と窓枠２内の窓ガラス３外面との間に形成される空間を仕切る仕切手段が備えられているため、庇体８内面と窓ガラス３との隙間空間４が仕切られ、この隙間空間４内に流入した走行風１８の流れを規制することができる。流れが規制されることによって、この空間内の流れは乱れにくくなり、対向流１９の発生を低減することができる。対向流１９が低減されることで、この隙間空間４内での流れの衝突は低減され、外側に流出される流れが小さくなる。外側へ流出される流れが小さくなることで、乱流２０の発生を小さくすることが可能となり、結果、リブをサイドバイザー５の下端縁に設ける場合に比べ、風切音を低減することが可能となる。
【００１６】
更に、仕切手段は、庇体８の内面から一体で突出する仕切部材１０であることにより、隙間空間４内をより効果的に仕切ることが可能となるため、風切音の低減をより一層効果的に行うことが可能である。
【００１７】
また、仕切部材１０は、庇体８の長手方向に配置されていることにより、隙間空間４が長手方向に仕切られるので、流入した走行風１８が大きな塊となることが抑制される。又、対向流１９が発生した場合であっても、仕切部材１０により流れが仕切られるので、空間内での衝突を抑制又は低減することが可能となる。結果、流出する流れも小さくなり、乱流２０及び乱流２０に起因する風切音も低減することが可能となる。
【００１８】
なお、本発明にかかるサイドバイザーは、上記した実施の形態に何ら限定されるものではなく、本発明の趣旨を逸脱しない範囲で、仕切部材やサイドバイザーの形状や大きさ、向き等を適宜変更することができる。
【００１９】
例えば、図４（ａ）（ｂ）に示すように、仕切部材１０，１０は、庇体８の幅方向に離れて並設し、上段側の隙間空間１１、中段の隙間空間１３、下段の隙間空間１２を設けても良い。これにより、走行風１８が更に細分化され、各走行風１８ａ，１８ｂ・・が整流化されるので更に対向流１９が発生しにくくなる。結果、乱流２０の発生を抑えることが可能となる。この場合、仕切部材１０，１０間の間隔は、各走行風１８，１８・・の整流化が可能であれば、適宜変更可能である。
【００２０】
このように、仕切部材１０は、庇体８の幅方向に離れて複数配置されていることにより、隙間空間１１，１２が幅の狭い複数の流路に区画され、流入した流れは、流路を流れるので乱れにくくなり、対向流１９が発生しにくくなる。結果、流出する流れが抑制され、風切音の発生を低減することが可能となる。
【００２１】
また、図５（ａ）（ｂ）に示すように、庇体８の幅方向の上縁から下縁に亘って延びる仕切部材３０ａ，３０ｂ・・を、庇体８上の長手方向に一定の間隔を隔てて複数設け、隙間空間３１ａ，３１ｂ・・を設けるようにしても良い。
これにより、図６に示すように、各隙間空間３１ａ，３１ｂ・・で走行風１８の流れが区画化されるので、対向流１９が発生しにくくなる。たとえ対向流１９が発生したとしても、前方側から流れる走行風１８との衝突は仕切部材３０ａ，３０ｂ・・で緩和され、乱流２０の発生が低減される。図５（ｃ）に示すように、仕切部材３０ａ，３０ｂ・・の幅Ｗ２は、庇体８の板厚ｔ≦Ｗ２≦１０・ｔである。
また、仕切部材３０の設置数を１つとし、隙間空間３１を二分割する構造であっても、隙間空間３１内での衝突を回避、又は緩和し、流出する流れを小さくするものであれば良く、適宜変更可能である。
【００２２】
このように、仕切部材３０ａ，３０ｂ・・は、庇体８の幅方向の上縁から下縁に亘って配置されているので、前方側から流れる走行風１８と、後方側から前方側に向かって流れる対向流１９との衝突を緩和し、流出する流れ、及び乱流２０の発生が低減される。
【００２３】
他にも、図７に示すように、仕切部材４０を、庇体８の下端縁で窓ガラス３側に向かって形成されるリブ４１と仕切壁４２とを一体にした逆Ｌ字状に形成しても良い。この場合、仕切壁４２は、図示しないベルトモールと平行となる角度に傾斜しているが、一方がリブ４１と一体的に形成されており、他方が庇体８の上縁に亘って形成されていればよく、適宜変更可能である。
他にも、リブ４１の突出高さは、庇体８における他の下端縁のリブより高く、仕切壁４２と同等の高さで形成することが好ましい。
また、各位置の断面は、図８（ａ）〜（ｅ）に示すように形成されている。この中でも、図８（ａ）に示すように、リブ４１の傾斜角度は、庇体８に対して９０°≦θ≦１１０°の範囲である。他にも、図８（ｂ）に示すように、仕切壁４２の高さＨ２は、窓ガラス３と庇体８との間に形成される隙間空間４の高さＨ以下である。図８（ｅ）に示すように、仕切壁４２の幅Ｗ３は、庇体８の板厚ｔ≦Ｗ３≦１０・ｔである。
【００２４】
他にも、仕切壁は、図９に示す仕切壁４３のように、側面を断面湾曲状に形成しても良い。この形状により、流れの仕切効果をより一層高めることが可能になる。
この場合、両側面を断面湾曲状に形成しても、片側面のみを断面湾曲状に形成しても良く、適宜変更可能である。
【００２５】
また、図１０（ａ）に示すように、仕切壁４２が、図示しないＢピラーと同じ鉛直方向を向くように形成しても良い。この場合、仕切壁４２の傾斜角度は、リブ４１に対して９０°〜１２０°の範囲内であれば適宜変更可能である。
更に、図１０（ｂ）に示すように、仕切壁４２と同等の高さに形成されるリブ４１を仕切壁４２より後方側に形成してもよく、適宜変更可能である。
他にも、仕切部材を格子状に形成したり、仕切部材１０の前端側に仕切部材３０ａを、後端側に仕切部材３０ｂを組み合わせた形状としても良い。
【００２６】
更に、仕切部材は、表面が平滑である必要はなく、走行風１８の整流化を可能とし、風切音を低減するものであれば、表面を凹凸状や波線状、曲線状にしても良い。
【００２７】
また、仕切部材を、庇体８と一体に形成する構造の他に、別体に成形して庇体８の内面に貼着したり、接着又は溶着する構造に変更しても良い。
【００２８】
他にも、仕切部材は、庇体８の内面側に設けることに加え、水平バイザー部１５の庇体１７の窓枠２側に設けても良い。これにより、傾斜バイザー部６の位置において風切音の発生を低減するだけでなく、水平バイザー部１５の位置においても風切音の発生を低減することが可能となる。
【００２９】
また、仕切手段は、窓ガラス３側の端面にヒダモール等の軟質部材を設置して窓ガラス３に接触させる構造にしても良い。
【符号の説明】
【００３０】
１・・自動車、２・・窓枠、３・・窓ガラス、４・・隙間空間、５・・サイドバイザー、６・・傾斜バイザー部、７・・鍔体、８・・庇体、９・・溝、１０・・仕切部材、１１・・隙間空間（上段）、１２・・隙間空間（下段）、１３・・隙間空間（中段）、１５・・水平バイザー部、１６・・鍔体、１７・・庇体、１８・・走行風、１９・・対向流、２０・・乱流、３０・・仕切部材、３１・・隙間空間、４０・・仕切部材、４１・・リブ、４２・・仕切壁、４３・・仕切壁。
【図１】
2020079090.tif 000003
【図２】
2020079090.tif 000004
【図３】
2020079090.tif 000005
【図４】
2020079090.tif 000006
【図５】
2020079090.tif 000007
【図６】
2020079090.tif 000008
【図７】
2020079090.tif 000009
【図８】
2020079090.tif 000010
【図９】
2020079090.tif 000011
【図１０】
2020079090.tif 000012